(57)【要約】      （修正有）【課題】設置や取り外しに優れた照明装置を提供する。【解決手段】照明装置１は、管形の蛍光灯１３を両端部から挟んで保持し、側板部、端部、天板を有し、見附面が開放面となっている照明装置本体１０と、照明装置本体１０から延びるコード１７とこの先端に複数の端子を備えたコンセント部とを具備する電源コード１７とを備え、照明装置本体１０の側板部に磁石１８を具備することを特徴として構成される。蛍光灯１３を内蔵し、外枠の一側面に磁石１８が取り付けられた照明装置本体１０が受用磁石を介する等により棚板に接合する形態上の特徴から、必然的に照明装置１が棚板に固定され、照明装置１の設置や取り外しが容易に可能となる。【選択図】図１
0003138682.tif 000002
【実用新案登録請求の範囲】
【請求項１】
管形の蛍光灯を両端部から挟んで保持し、側板部、端部、天板を有し、見附面が開放面となっている照明装置本体と、
前記照明装置本体から延びるコードとこの先端に複数の端子を備えたコンセント部とを具備する電源コードとを備え、
前記照明装置本体の側板部に磁石を具備することを特徴とする照明装置。
【請求項２】
前記照明装置は、下方の棚板上に載置される商品を照明することが可能なように上方の棚板の下側に磁着されるものであり、前記照明装置本体における磁石は、前記照明装置を取り付ける棚板に具備された受用磁石に接合することを特徴とする請求項１記載の照明装置。
【請求項３】
前記受用磁石は、前記照明装置本体の落下防止のため表面をコーティング加工したことを特徴とする請求項２記載の照明装置。
【請求項４】
前記電源コードは、その先端部のプラグがラインコンセントにより電気を取込めるよう形成されていると共に、差込口を有し、側面視L字型の取込部を他端として構成し、装置本体に差込まれることが可能であることを特徴とする請求項１記載の照明装置。
【考案の詳細な説明】
【技術分野】
【０００１】
本考案は、たとえば照明装置に係り、特に設置や交換に優れ耐落下性を備える照明装置に関する。
【背景技術】
【０００２】
従来、下方の棚板上に載置された商品を照明するように上方の棚板の下側に配置された照明装置が知られている。
【０００３】
かかる照明装置は、取付部材を介して棚板の裏側に固定されている。
【特許文献１】特開２０００-２３７０１１号公報
【考案の開示】
【考案が解決しようとする課題】
【０００４】
しかしながら、上記した特許文献１に記載されている照明装置では、棚板への固定用に取付部材が必要であり、照明装置の設置や取り外しが困難であるという問題点があった。
【０００５】
また、蛍光灯の交換の際等に照明装置を棚板に固定した状態で作業をすると、交換作業がし難い場所に設置されている場合や、棚自体が揺れること等により作業が容易ではないという問題点があった。
【０００６】
本考案は、このような従来技術上の問題点を解決するためになされたもので、設置や取り外しに優れた照明装置を提供することを目的とする。
【課題を解決するための手段】
【０００７】
かかる目的を達成するために、本考案に係る照明装置は、管形の蛍光灯を両端部から挟んで保持し、側板部、端部、天板を有し、見附面が開放面となっている照明装置本体と、前記照明装置本体から延びるコードとこの先端に複数の端子を備えたコンセント部とを具備する電源コードとを備え、前記照明装置本体の側板部に磁石を具備することを特徴として構成される。
【０００８】
また、前記照明装置本体における磁石は、前記照明装置を取り付ける棚板に具備された受用磁石に接合するように構成してもよい。
【０００９】
この場合の「取込部」とは、電源コードの一方の先端部に位置する差込口を有した側面視L字型のパーツで、照明装置の本体部に接続される部分をいう。
【００１０】
上記のように構成されることで、蛍光灯を内蔵し、外枠の一側面に磁石が取り付けられた照明本体が受用磁石を介する等により棚板に接合する形態上の特徴から、必然的に照明装置が棚板に固定され、照明装置の設置や取り外しが容易に可能となる。
【００１１】
加えて、磁石を用いることにより、簡易に照明装置の設置や取り外しが可能となるのに加え、鉄製、スチール製等着磁性を有する材質からなる棚板については任意の箇所に取り付けることができ、落下することなく簡便に位置調節が可能である。
【００１２】
さらに、こうした照明装置を覆うように透光部のカバー、たとえばガラス製カバーやプラスチック製カバーが取り付けられているという特徴から、当該照明装置が棚板に固定された状態でそれを簡易に取り外し、内部の蛍光灯を簡便に交換することができる。  
【００１３】
また、このように構成することで、照明の照射範囲を妨げることなく充分な照度を発し、下方の棚板上に載置された商品を好適に照らすことができる。
【００１４】
また、このとき、当該本体面の用磁石は、取り付け面に磁着自在の受用磁石を接合させることを特徴としている。この特徴によれば、取り付け面が鉄製等着磁性を有する部材でない場合においても、照明装置の設置や取り外しが容易に可能となる。
このように構成することで、上記設置や取り外しが簡便になると共に、受用磁石がガラス面を通して視認できるが、その上部に商品を陳列するため、かかる構成により、視覚的美観の観点において何ら支障を生ずるものではなく、また充分な照度が得られるものである。
【００１５】
さらに、当該受用磁石は、表面をコーティング加工されるように構成してもよい。このように構成されることで、商品陳列棚のケースを密封する場合にケース内で熱がこもり粘着により受用磁石を接合している場合の粘着が埃の接着のために剥がれることが考えられる場合に使用したとしても、このような構成されるゆえに、照明装置本体の落下を適切に防止することが可能である。
【００１６】
また、この電源コードは、その先端部のプラグがラインコンセントにより電気を取込めるよう形成されていると共に、差込口を有し、側面視L字型の取込部を他端として構成し、装置本体に差込まれることが可能であることを特徴として構成してもよい。このように構成することで、ラインコンセント上の任意の位置に容易に電源コードの先端を挿入し、電気を取込むことが可能となる。
さらに、上記のように構成されるので、装置本体と電源コードとの接続についてスペースをとることなく簡易に、しかも下方の棚板上に載置された商品を照明するについても悪影響を及ぼさずに照らすことができる。
【考案の効果】
【００１７】
本考案は、上記のように構成されるので、蛍光灯と磁石が取り付けられた照明本体が受用磁石を介する等により棚板に接合する形態上の特徴から、照明装置が棚板に固定され、照明装置の設置や取り外しが容易に可能となり、照明の照射範囲を妨げることなく充分な照度を発揮し、下方の棚板上に載置された商品を適当に照らすことができる。
【００１８】
さらに、磁石を用いることにより、鉄製の棚板については任意の箇所に取り付けることができ、落下することなく簡便に位置調節が可能である。
【００１９】
加えて、受用磁石が取り付け面に磁着自在の受用磁石を接合させるという特徴を有していることから、取り付け面が鉄製等の着磁性部材でない場合においても、照明装置の設置や取り外しが容易に可能となると共に、受用磁石の接合により下方の棚板上に載置された商品を照明するについて支障が出ることはなく、充分な照度が得られるものである。
【００２０】
しかも、当該電源コードが、その先端部がラインコンセントにより電気を取込めるよう形成されていると共に、他端側をL字型の端子によって構成し、装置本体に差し込んでいることを特徴と
して構成されることから、ラインコンセント上の任意の位置に容易に電源コードの先端を挿入し、電気を取込むことが可能となり、装置本体と電源コードとの接続についてスペースをとることなく簡易にかつ下方の棚板上に載置された商品を照明するについても悪影響を及ぼざずに照らすことができる。
【考案を実施するための最良の形態】
【００２１】
以下、図面１を参照して本考案を実施するための最良の形態について説明する。
【００２２】
図１は、本考案の一実施形態に係る照明装置の全体像を示す斜視図であり、図１Aは図１のA-A断面図である。
同図に示すように、本発明の一実施形態に係る照明装置１は、蛍光灯１２、透光部１３、電熱部部材１４、ソケットカバー１５、ソケットカバー固定部材１６、磁石１８、本体部１１を備える照明装置本体１０に電源コード１７を具備して構成されている。  
【００２３】
図１における磁石１８は、薄板状の磁石で構成されている。なお、照明装置１の設置や取り外しを容易に可能となるべく照明装置１が棚板に固定され、かかる固定によって蛍光灯の交換が簡便にでき、さらに鉄製等の磁着性を有する棚板については任意の箇所に取り付け可能で落下することなく位置調節ができうる限りにおいて、また、照明の照射範囲を妨げることなく充分な照度が発揮され、下方の棚板上に載置された商品を適当に照らすことができる限りにおいて、当該磁石は薄板状でない磁石であっても良い。
【００２４】
かかる磁石１８が、鉄製の棚板の接合面１９に接合することにより、強力に照明装置１を貼着させる。この貼着には、たとえば薄板状磁石１８の裏面に両面テープを介して接合する、裏面に接着剤で接着する、ボルト、ネジ、ダボ等で物理的に固着するなどの方法を採用する。また、接合面１９が鉄製の部材でない場合においては、受用磁石（図示しない）を介することで同様な安定性を保持することが可能である。該受用磁石についても、照明装置１の設置や取り外しを容易に可能となるべく照明装置１が棚板に固定され、かかる固定によって蛍光灯の交換が簡便にでき、さらに鉄製の棚板については任意の箇所に取り付け可能で落下することなく位置調節ができうる限りにおいて、上記薄板状でない磁石であっても良い。
【００２５】
磁石１８について、その短手方向の幅の長さにより、同磁石１８が蛍光灯１２を覆っている透光部１３のカバーにかかってしまい、同カバーを取り外して蛍光灯１２を交換する際に支障が生じ得るのを防ぐため、同磁石の幅の長さは透光部１３のカバーにかからない長さが好ましい。
【００２６】
蛍光灯１２は、照明装置本体１０に取り付けられた取り外し可能なプラスチック製の透光部１３により覆われている。この蛍光灯１２は、側面における端子を接点としてソケットカバー１５により両端部から挟み込み形式で保持されている。
【００２７】
さらに、照明装置本体１０には、電気を取込むための差込口を有し、本体部１１に差込まれることが可能である側面視L字型の取込部を一端として具備する電源コード１７が接続部２２において接続されている。かかる接続部２２は、ソケットカバー固定部材１６に設けられた二つの端子に差し込む形式となっており、接続部２２の形状はL字型である。かかる形状に構成されていることから、照明装置本体１０に差し込むことによって、接続部２２が固定され余計な空間を使うことなくコンパクトに一体化させることができる。
【００２８】
図２は、本考案の一実施形態に係る照明装置１を陳列棚に積層的に配置した場合の全体構造の短手方向の断面図であり、設置状態で縦方向に直交する面から見た断面図である。同図に示すように、本発明の一実施形態に係る照明装置１は、上方の各棚板２４の下側（裏面側）に配置され、下方の棚板２４上に載置された商品５０を十分な明度をもって照明する。
【００２９】
図３は、図２の部分拡大図であり、設置状態で縦方向に直交する面から見た断面図である。図４は、本考案の一実施形態に係る照明装置１のコンセント部を示す部分拡大図である。図３及び４に示すように、本考案の一実施形態に係る照明装置における電源コード１７についてのコンセント部４０は、ラインコンセント（図示せず）に差し込めるように構成されている。そのコンセント部４０は、金属の３つの端子４１，４２，４３を有しており、略中央の端子４３はアースである。その構造は、並列された２つの端子４１，４２とその略中央下部に１つの端子４３が配置されており、並列した２つの端子４１，４２をラインコンセントに容易に差し込むことで電気を取り込むことが可能である。このラインコンセントは、商品陳列棚の支柱２５内部にレールを３本設け、その内部に電流を流した支柱２５の溝部分に金属のコンセント端子４１，４２，４３を差し込むことにより電気を取り込めるよう構成されている。
【００３０】
したがって、コンセント部４０は、その構成から、壁や天井に配置された電源コンセントからテーブルタップを接続して電気を取り込むことなく、商品陳列棚の支柱２５内部のラインコンセントに簡易に差し込むことで電気を取り込むことが可能である。
【００３１】
さらに、連結コード（図示しない）を用いることにより、最大５本まで照明装置本体１０を容易に連結させて使用することができる。この連結コードは、その両端に連結部を有しており、ソケットカバー固定部材１６に設けられた２つの端子４１，４２に差し込むことで、簡易に連結させることができる。
【００３２】
次に、上記のように構成される本考案に係る照明装置の機能・使用法を説明する。本発明の一実施形態に係る照明装置１は、図２に示すように上方の棚板の下側に配置され、下方の棚板上に載置された商品を十分な明度により適切に照明する。
【００３３】
当該照明装置１は、長手方向に伸びる薄板状の磁石１８を用いて上方の棚板に載置され、かかる磁石１８により容易に設置、取り外しが可能である。ここで、取り付け面が鉄製等着磁性の部材でない場合においては、その取り付け面に受用磁石を用い磁石１８と接合させることで、同様の機能を果たすものである。
【００３４】
また、図１に示されるように、本考案の一実施形態に係る照明装置１は電源コード１７を具備している。電源コード１７の先端部のL字型の端子を接続部２２に有する２つの端子に差し込み、電源からの電気の取り込みを簡便に可能とし、しかも接続した状態でコンパクトなまとまりを保持している。さらに、コンセント部４０は３つの金属製の端子４１，４２，４３を具備しており、かかるコンセント部４０を支柱２３内部のラインコンセント上の任意の位置に容易に挿入することで、電気を取り込むことが可能である。
【００３５】
以上、説明したように、本考案に係る照明装置によれば、棚板２４に照明装置１が揺らぐことなく固定され、照明装置１の設置や取り外しが容易に可能となるばかりか、鉄製の棚板については任意の箇所に取り付けることができ、落下することなく簡便に位置調節が可能である。
さらに、照明装置が棚板２４に固定された状態で透光部１３のカバーを簡易に取り外し、内部の蛍光灯１２を簡便に交換することができる。また、照明の照射範囲を妨げることなく充分な照度を発揮し、下方の棚板上に載置された商品を適当に照らすことができる。加えて、取り付け面が鉄製の部材でない場合においても、取り付け面に磁着自在の受用磁石を接合させることにより、照明装置の設置や取り外しが容易に可能となる。
【００３６】
したがって本考案によれば、蛍光灯の交換作業について、１時間あたりの取り付け可能個数が飛躍的に伸長し効率が高められ、取り付け時間が半分以下となった。
【００３７】
また、この受用磁石は、表面をコーティング加工したことにより、商品陳列棚のケースを密封する場合にケース内で熱がこもり粘着により受用磁石を接合している場合の粘着が埃の接着のために剥がれることが考えられる場合において使用しても、照明装置本体１０の落下を適切に防止することが可能である。
【００３８】
さらに、電源コード１７は、ラインコンセント上の任意の位置に容易に電源コード１７の先端を挿入することで、電気を取込むことができ、装置本体１０と取込部６０の電源コード１７との接続についてスペースをとることなくに簡易に、しかも下方の棚板上に載置された商品を照明するについて悪影響を及ぼさずに照らすことができる。
【００３９】
なお、上述したものは本願に係る技術思想を具現化するための実施形態の一例を示したにすぎないものであり、他の実施形態でも本願に係る技術思想を適用することが可能である。たとえば、上記では照明装置を取り付ける棚について商品陳列棚として説明したが、一定の明度を必要とする照明装置を取り付けることが考えられるあらゆる棚等によって実現する可能性を排除するものではない。これらはすべて本願の技術思想の範囲に含まれる。
【００４０】
また、本願考案は、上述した実施形態に限定されるものでなく、その技術的思想の同一及び等価に及ぶ範囲において上述した実施形態への様々な変形、追加、置換、拡大、縮小等を許容するものである。たとえば、上述の説明では直管状の蛍光灯を用いた照明装置として説明したが、直管状のものに限定されず、かかる形態をとらないものでも、本願に係る技術的思想は適用可能である。      
【００４１】
さらに、たとえば、上記の説明においては、照明装置単体として本考案の技術思想を説明したが、本考案は、これらの照明装置が集合的に形成される照明具として実現してもよく、本願はこれらの実施形態も包含するものである。
【００４２】
また、本願考案を用いて生産される装置、方法、システムが、その２次的生産品に登載されて商品化された場合であっても、本願考案の価値は何ら減ずるものではない。
【産業上の利用可能性】
【００４３】
本発明に係る照明装置によれば、照明装置本体が受用磁石を介する等により棚板に接合する形態上の特徴から、照明装置が棚板に固定され耐落下性を有し、照明装置の取り付けや取り外しが容易に可能となりつつも、十分な照度をもって商品を適切に照らすことができる。しかも、ラインコンセント上の任意の位置に容易に電源コードの先端を挿入し、電気を取込むことが可能であって、装置本体と電源コードとの接続についてスペースをとることなく用いることができる。加えて、構造が複雑でなく、比較的少数の部品数で構成されているため、製造についても高額を要さず行うことが可能となるので、商品販売等の物販産業、サービス業等広く各産業に利用することができる。
【図面の簡単な説明】
【００４４】
【図１】本発明の一実施形態に係る照明装置の全体像を示す斜視図である。
【図１Ａ】図１のA-A断面図である。
【図２】本発明の一実施形態に係る照明装置の断面図であり、設置状態で縦側から見た断面図である。
【図３】本発明の一実施形態に係る照明装置の全体像を示す部分拡大図であり、設置状態で縦側から見た断面図である。
【図４】本発明の一実施形態に係る照明装置のコンセント部の拡大図である。
【図５】本発明の一実施形態に係る照明装置の接続部における取込部の拡大図である。
【符号の説明】
【００４５】
１  照明装置
１０  装置本体
１１  本体部
１２  蛍光灯
１３  透光部
１４  電熱部材
１５  ソケットカバー
１６  ソケットカバー固定部材
１７  電源コード
１８  磁石
１９  接合面
２０  挿入部
２１  端子穴  
２２  接続部
２３  支柱
２４  棚板
３０  商品陳列棚
４０  コンセント部
４１  端子１
４２  端子２
４３  端子３
６０  取込部
６１  差込口
【図１】
0003138682.tif 000003
【図１Ａ】
0003138682.tif 000004
【図２】
0003138682.tif 000005
【図３】
0003138682.tif 000006
【図４】
0003138682.tif 000007
【図５】
0003138682.tif 000008